(57)【要約】【課題】特にドア形状を変えることなく、簡単にドア下端の隙間を調整可能にしたドア枠構造を提供すること。【解決手段】左右縦枠材１１，１２，上枠材１３，および下枠材１４で囲まれ、前記下枠材１４の両端部上に前記左右縦枠材１１，１２の下端が固定され、前記左右縦枠材１１，１２の一方１２にドア２０を回動自在に保持するヒンジ２３が取付けられてなるドア枠構造であって、前記下枠材両端部と左右縦枠材下端との間にスペーサー１を挟むことにより、前記左右縦枠材１１，１２を前記上枠材１３とともに持ち上げ、前記ドア下端と前記下枠材表面との隙間Ｍを広くし、前記スペーサー１の挟みを取り除くことにより、前記隙間Ｍを狭くするように、調整可能にした。【選択図】    図３
2004346671.tif 000002
【特許請求の範囲】
【請求項１】
左右縦枠材，上枠材，および下枠材で囲まれ、前記下枠材の両端部上に前記左右縦枠材の下端が固定され、前記左右縦枠材の一方にドアを回動自在に保持するヒンジが取付けられてなるドア枠構造であって、
前記下枠材両端部と左右縦枠材下端との間にスペーサーを挟むことにより、前記左右縦枠材を前記上枠材とともに持ち上げ、前記ドア下端と前記下枠材表面との隙間を広くし、前記スペーサーの挟みを取り除くことにより、前記隙間を狭くするように、調整可能にしたことを特徴とするドア枠構造。
【請求項２】
前記左右縦枠材下端面に切り欠き部を設け、その切り欠き部に前記下枠材両端部を嵌合させたことを特徴とする請求項１に記載のドア枠構造。
【請求項３】
前記下枠材は、下地材とその上に、前記下枠材両端部を除いて冠着させた化粧部材からなることを特徴とする請求項１又は２に記載のドア枠構造。
【請求項４】
左右縦枠材，上枠材，および下枠材で囲まれ、前記左右縦枠材の下端内側面に前記下枠材の両端部が固定され、前記左右縦枠材の一方にドアを回動自在に保持するヒンジが取付けられてなるドア枠構造であって、
前記左右縦枠材下端と床の間にスペーサーを挟むことにより、前記左右縦枠材を前記上枠材とともに持ち上げ、前記ドア下端と前記下枠材表面との隙間を広くし、前記スペーサーの挟みを取り除くことにより、前記隙間を狭くするように、調整可能にしたことを特徴とするドア枠構造。
【請求項５】
左右縦枠材および上枠材で囲まれ、前記左右縦枠材の一方にドアを回動自在に保持するヒンジが取付けられてなるドア枠構造であって、
前記左右縦枠材下端と床の間にスペーサーを挟むことにより、前記左右縦枠材を前記上枠材とともに持ち上げ、前記ドア下端と床表面との隙間を広くし、前記スペーサーの挟みを取り除くことにより、前記隙間を狭くするように、調整可能にしたことを特徴とするドア枠構造。
【請求項６】
左右縦枠材および上枠材で囲まれ、前記上枠材にドアを左右に移動自在に吊って保持する支持部材が取付けられてなるドア枠構造であって、
前記左右縦枠材下端と床の間にスペーサーを挟むことにより、前記左右縦枠材を前記上枠材とともに持ち上げ、前記ドア下端と床表面との隙間を広くし、前記スペーサーの挟みを取り除くことにより、前記隙間を狭くするように、調整可能にしたことを特徴とするドア枠構造。
【請求項７】
前記スペーサーは、前記下枠材両端部又は前記左右縦枠材下端に着脱自在に設けられていることを特徴とする請求項１乃至６のうちいずれか一つに記載のドア枠構造。
【請求項８】
前記スペーサーは、前記下枠材両端部又は前記左右縦枠材下端に設けられ、上下に移動して高さ調整可能であることを特徴とする請求項１乃至７のうちいずれか一つに記載のドア枠構造。
【発明の詳細な説明】
【０００１】
【発明の属する技術分野】
本発明は、住宅やオフィス等、建物の出入口に設けられるドアを受けるドア枠構造に関する。
【０００２】
【従来の技術】
近年、新築・改築後の住宅等においては建築材料等から放散される化学物質に起因し、めまい，吐き気，頭痛，眼・鼻・喉の痛み等、居住者に様々な健康影響が生じている状態が数多く報告され、これらは、「シックハウス症候群」，「シックビルディング症候群」と呼ばれている。
このシックハウスの問題は、平成８年に国会で取り上げられて以降、社会的に大きな関心が示されるようになった。
【０００３】
このような状況の中で、最近、建築基準法が改正されることが決まり、近日中に施行されることとなっている。
その結果、居室内では０．５回／ｈ（時間）の換気が必要とされることになった。
これを達成するために、居室ごとに野外に通じる吸気口および排気口を設け、強制的に換気を行うことが考えられる。各居室にそれだけの設備を設置することは、高コストにつながるため実施は困難である。
そこで、ドアの下に隙間を設けるか、またはドアや枠材等に通気口を設けることにより居室間の通気を可能とし、居室数より少ない吸気口および排気口によって上記０．５回／ｈの換気を達成することが考えられるが、その場合、居室間の通気部より、光や音が漏れるため居住性が低下するという問題がある。
よって、寝室や書斎等においては、吸気口および排気口を単独で設け、開口部の気密性を保つことにより居住性を維持するとともに、ダイニング等多少の光や音の漏れが問題とならない居住においては、ドアの下に隙間を設ける等によりコストの低減を図ることが選択的に併用される場合が多くなると考えられる。
【０００４】
そこで、同一寸法のドアおよび枠材でドア下の隙間を調整することができれば、使用用途に限定されず発注、製造、流通、搬入、施工が円滑に実施可能となる。
従来は、ドアの下端をカットしたり、ドアに対して予め縦枠の長さに余裕を持たせ、必要に応じて施工現場で縦枠の長さをカットしたり、またはドアの下の隙間を塞ぐように、ドア下端面に閉塞金具，モヘア，パッキン，フエルト等突起部材を付けるようにしていた（例えば特許文献１）。
【０００５】
【特許文献１】
特開２００３−１２９７６７号公報
【０００６】
【発明が解決しようとする課題】
しかしながら、現場にて部材をカット等加工することは、手間および加工精度からして好ましいとはいえない。また、たとえ正確にカットできるとしても、ドアをカットした場合は、ドアの上框と下框のバランスがくずれる等、意匠性が低下することが多く、復元不可能な場合は、ドアを交換する必要があった。内装材、特にドアは最後に施工されることが多いため、ドアの交換は住宅の納期遅れに直結する重大な問題であった。
また、ドアの下端面に閉塞金具等突起部材を付ける場合も、ドアの下端面への加工や、複雑な部材の使用により、コストが上がったり、またモヘア，パッキン，フエルト等を使用する場合も、ゴミが溜る、意匠性が悪い等の問題があった。
【０００７】
そこで本発明の目的とするところは、上記従来の欠点を解消した、特にドア形状を変えることなく、簡単にドア下端の隙間を調整可能にしたドア枠構造を提供することにある。
【０００８】
【課題を解決するための手段】
上記の目的を達するために、請求項１の発明のドア枠構造は、左右縦枠材（１１，１２），上枠材（１３），および下枠材（１４）で囲まれ、前記下枠材（１４）の両端部上に前記左右縦枠材（１１，１２）の下端が固定され、前記左右縦枠材（１１，１２）の一方（１２）にドア（２０）を回動自在に保持するヒンジ（２３）が取付けられてなるドア枠構造であって、
前記下枠材（１４）両端部と左右縦枠材（１１，１２）下端との間にスペーサー（１）を挟むことにより、前記左右縦枠材（１１，１２）を前記上枠材（１３）とともに持ち上げ、前記ドア（２０）下端と前記下枠材（１４）表面との隙間（Ｍ）を広くし、前記スペーサー（１）の挟みを取り除くことにより、前記隙間（Ｍ）を狭くするように、調整可能にしたことを特徴とする。
【０００９】
また請求項２の発明は、請求項１の発明の構成に加えて、前記左右縦枠材（１１，１２）下端面に切り欠き部（３１）を設け、その切り欠き部（３１）に前記下枠材（１４）両端部を嵌合させたことを特徴とする。
【００１０】
さらに請求項３の発明は、請求項１又は２の発明の構成に加えて、前記下枠材（１４）は、下地材（１４１）とその上に、前記下枠材（１４）両端部を除いて冠着させた化粧部材（１４２）からなることを特徴とする。
【００１１】
また請求項４の発明のドア枠構造は、左右縦枠材（１１，１２），上枠材（１３），および下枠材（１４）で囲まれ、前記左右縦枠材（１１，１２）の下端内側面に前記下枠材（１４）の両端部が固定され、前記左右縦枠材（１１，１２）の一方（１２）にドア（２０）を回動自在に保持するヒンジ（２３）が取付けられてなるドア枠構造であって、
前記左右縦枠材（１１，１２）下端と床の間にスペーサー（１）を挟むことにより、前記左右縦枠材（１１，１２）を前記上枠材（１３）とともに持ち上げ、前記ドア（２０）下端と前記下枠材（１４）表面との隙間（Ｍ）を広くし、前記スペーサー（１）の挟みを取り除くことにより、前記隙間（Ｍ）を狭くするように、調整可能にしたことを特徴とする。
【００１２】
また請求項５の発明のドア枠構造は、左右縦枠材（１１，１２）および上枠材（１３）で囲まれ、前記左右縦枠材（１１，１２）の一方（１２）にドア（２０）を回動自在に保持するヒンジ（２３）が取付けられてなるドア枠構造であって、
前記左右縦枠材（１１，１２）下端と床の間にスペーサー（１）を挟むことにより、前記左右縦枠材（１１，１２）を前記上枠材（１３）とともに持ち上げ、前記ドア（２０）下端と床表面との隙間（Ｍ）を広くし、前記スペーサー（１）の挟みを取り除くことにより、前記隙間（Ｍ）を狭くするように、調整可能にしたことを特徴とする。
【００１３】
また請求項６の発明のドア枠構造は、左右縦枠材（１１，１２）および上枠材（１３）で囲まれ、前記上枠材（１３）にドアを左右に移動自在に吊って保持する支持部材が取付けられてなるドア枠構造であって、
前記左右縦枠材（１１，１２）下端と床の間にスペーサー（１）を挟むことにより、前記左右縦枠材（１１，１２）を前記上枠材（１３）とともに持ち上げ、前記ドア下端と床表面との隙間（Ｍ）を広くし、前記スペーサー（１）の挟みを取り除くことにより、前記隙間（Ｍ）を狭くするように、調整可能にしたことを特徴とする。
【００１４】
さらに請求項７の発明は、請求項１乃至６のうちいずれか一つの発明の構成に加えて、前記スペーサー（２）は、前記下枠材（１４）両端部又は前記左右縦枠材（１１，１２）下端に着脱自在に設けられていることを特徴とする。
【００１５】
また請求項８の発明は、請求項１乃至７のうちいずれか一つの発明の構成に加えて、前記スペーサー（３）は、前記下枠材（１４）両端部又は前記左右縦枠材（１１，１２）下端に設けられ、上下に移動して高さ調整可能であることを特徴とする。
【００１６】
なお、ドア枠は、床の構造や床材（床の表面化粧材）との取り合いによって、様々な材の上に立て付けられる。よって、請求項４乃至６において記載した床とは、床材や床下地材、コンクリートスラブ等を示す。また、床には根太等の横架材も含まれることを意味する。
【００１７】
なお、括弧内の記号は図面に示し後述する発明の実施の形態の対応要素又は対応事項を示す。
【００１８】
本発明によれば、左右縦枠材，上枠材，および下枠材（下枠材を必要としないものもある）で囲まれた回動式ドアのドア枠において、左右縦枠材下端と、それが相対向する下枠材両端部あるいは床との間にスペーサーを挟むと、下枠材両端部あるいは床表面に対して、左右縦枠材が上枠材とともに持ち上げられので、いずれかの縦枠材にヒンジを介して取り付けられたドアも同時に持ち上げられる。
また左右縦枠材および上枠材で囲まれた左右開閉式で上吊りドアのドア枠において、左右縦枠材下端と、それが相対向する床との間にスペーサーを挟むと床表面に対して、左右縦枠材が上枠材とともに持ち上げられので、上枠材に上吊りされたドアも同時に持ち上げられる。
よって、ドア下端と下枠材表面あるいは床表面との隙間はスペーサーの厚み分広くなる。逆に、スペーサーの挟みを取り除くと、ドア下端と下枠材表面あるいは床表面との隙間はスペーサーの厚み分狭くなる。
【００１９】
このように、ドア枠に取り付けられたドア自体に削り等の加工を施したり、パッキン等他の部材を付加したりする等、特にドアの形状を変化させることなく、単にスペーサーを使用することで、ドア下端に生じる隙間、すなわち、ドア枠が、左右縦枠材，上枠材，および下枠材からなる場合は、ドア下端と下枠材表面との間に生じる隙間、またドア枠が、左右縦枠材および上枠材だけからなる場合は、ドア下端と床表面との間に生じる隙間を、広くしたり狭くしたり簡単に調整可能とすることができる。
したがって、同一寸法のドアおよび枠材からなるドア枠構造でドア下端の隙間を調整することができるので、通気性が要求されるか否かなど各室の使用用途に限定されず発注、製造、流通、搬入、施工を円滑に行うことができる。
【００２０】
【発明の実施の形態】
（実施の形態例１）
本発明の実施の形態例１について図１乃至図５を参考にして説明する。
本発明の実施の形態例１に係わるドア枠構造は、図１に示すように、左右一対の縦枠材１１，１２（右縦枠材１１，左縦枠材１２）と、上枠材１３と、および下枠材１４で囲まれた矩形状の枠体からなるものであり、左右縦枠材１１，１２の一方、すなわち、ここでは左縦枠材１２にドア２０を回動自在に保持する上下２つのヒンジ２３，２３が取付けられている。これにより、ドア２０は前後方向（図１では紙面に対して表裏方向）に回動自在で出入口の開閉を行う。なお、符号２１はドアハンドル，２２はラッチを示している。
【００２１】
下枠材１４は、下地材１４１とその上に、下枠材１４両端部を除いて冠着させた化粧部材１４２からなる。冠着式であるので、様々なタイプの化粧部材を取り付けることができる。なお、下地材１４１と化粧部材１４２とを一体化することもできる。
また枠体の結合は、図１の要部Ｘを拡大した図２に示すように、下枠材１４の両端部上に左右縦枠材１１，１２の下端がビスＢ等の固定具によって固定されている。より詳細には、図２の側面である図４に示すように、左右縦枠材１１，１２の下端面に切り欠き部３１を設け、その切り欠き部３１に下枠材１４、すなわち下地材１４１の両端部を嵌合させ、結合の強化を図っている。
【００２２】
そして、図３およびその側面である図５に示すように、スペーサー１を使用することによりドア２０の下端と、下枠材１４の表面、すなわち、化粧部材１４２の表面（上面）との隙間Ｍを調整可能にしている。
図３に示すような、板状のスペーサー１を下枠材１４（下地材１４１）の両端部と左右縦枠材１１，１２の下端との間にそれぞれを挟むことにより、下枠材１４に対して、左右縦枠材１１，１２をそれに結合された上枠材１３とともに持ち上げ、ドア２０の下端と下枠材１４の表面との隙間Ｍをスペーサー１の厚み分だけ広くし（このときの隙間距離をＴで示した）、スペーサー１の挟みを取り除くことにより、隙間Ｍを狭くする（このときの隙間距離をＳで示した）ように、調整可能にしている。
【００２３】
このように、スペーサー１を使用して左右縦枠材１１，１２を上枠材１３とともに持ち上げると、左縦枠材１２にヒンジ２３，２３を介して取り付けられたドア２０もそのままの形状で持ち上げられるので、持ち上げられたスペーサー１の厚み分、ドア２０の下端と下枠材１４の表面との隙間Ｍは広くなり、スペーサー１を取り除くと隙間Ｍはスペーサー１の厚み分、狭くなる。
【００２４】
（実施の形態例２）
次に本発明の実施の形態例２について図６及び図７を参考にして説明する。
この実施の形態例２は、実施の形態例１とは枠体の結合が異なるタイプのものである。なお、その他の構成は実施の形態例１と同様であり、同一部分には同一符号を付した。
すなわち、この実施例に係るドア枠構造は、左右縦枠材１１，１２，上枠材１３，および下枠材１４で囲まれ、左右縦枠材１１，１２の下端内側面に下枠材１４の両端部がビスＢ等の固定具によって固定され、左縦枠材１２にドア２０を回動自在に保持するヒンジ２３が取付けられてなるものである。下枠材１４は、実施の形態１で示した下地材１４１よりも長さが短い下地材１４３とそれに冠着された、下地材１４３と略同じ長さの化粧部材１４２からなる。なお、下地材１４３と化粧部材１４２とを一体化することもできる。
【００２５】
そして、実施の形態例１と同様のスペーサー１を、左右縦枠材１１，１２の下端と床との間に挟むことにより、左右縦枠材１１，１２を上枠材１３とともに持ち上げ、ドア２０の下端と下枠材１４の表面との隙間Ｍを広くし（このときの隙間距離をＴで示した）、スペーサー１の挟みを取り除くことにより、前記隙間Ｍを狭くする（このときの隙間距離をＳで示した）ように、調整可能にしたものである。
なお、スペーサー１は床側に直接取り付けてもよく、左右縦枠材１１，１２の下端側に取り付けるようにしてもよい。
【００２６】
（実施の形態例３）
次に本発明の実施の形態例３について図８及び図９を参考にして説明する。
この実施の形態例３は、枠体のうち実施の形態例１の下枠材１４に相当するものがないタイプのものである。なお、その他の構成は実施の形態例１と同様であり、同一部分には同一符号を付した。
すなわち、この実施例に係るドア枠構造は、左右縦枠材１１，１２および上枠材１３で囲まれ、左縦枠材１２にドア２０を回動自在に保持するヒンジ２３が取付けられてなるものである。
【００２７】
そして、実施の形態例１と同様のスペーサー１を、左右縦枠材１１，１２の下端と床との間に挟むことにより、左右縦枠材１１，１２を上枠材１３とともに持ち上げ、ドア２０の下端と床表面との隙間Ｍを広くし（このときの隙間距離をＴで示した）、スペーサー１の挟みを取り除くことにより、前記隙間Ｍを狭くする（このときの隙間距離をＳで示した）ように、調整可能にしたものである。
なお、スペーサー１は床側に直接取り付けてもよく、左右縦枠材１１，１２の下端側に取り付けるようにしてもよい。
【００２８】
本発明の実施の形態例１乃至３では、板状のスペーサ１を示したが、厚みの異なる複数のスペーサー１を用意することにより、隙間Ｍを複数の間隔にしうる。
また、図１０に示すように、切り欠き部を設けたスペーサー２を使用して下枠材１４の両端部に嵌合させ、着脱自在にすることもできる。あるいは、左右縦枠材１１，１２の下端に着脱自在にすることもできる。
さらには、図１１に示すように、下枠材１４の両端部に、ねじ３ａを利用して上下に移動することによりその上に載せられる左右縦枠材１１，１２の高さを調整可能なスペーサー３を設けることもできる。あるいは、左右縦枠材１１，１２下端にスペーサー３を逆にして設けることもできる。
【００２９】
また、本発明の実施の形態例１乃至３は回動式のドアが取り付けられたドア枠構造について説明したが、左右に移動して開閉自在の左右開閉式で上吊りドアが取り付けられたドア枠構造にも適用することができる。
すなわち、左右縦枠材および上枠材で囲まれ、前記上枠材にドアを左右に移動自在に吊って保持する支持部材が取付けられてなるドア枠構造において、左右縦枠材下端と床の間にスペーサーを挟むことにより、左右縦枠材を上枠材とともに持ち上げ、ドア下端と床表面との隙間を広くし、前記スペーサーの挟みを取り除くことにより、隙間を狭くするように、調整可能にすることもできる。
【００３０】
【発明の効果】
以上のとおり本発明によれば、ドア枠に取り付けられたドア自体に削り等の加工を施したり、パッキン等他の部材を付加したりする等、特にドアの形状を変化させることなく、単にスペーサーを使用することで、ドア下端に生じる隙間を、広くしたり狭くしたり簡単に調整可能とすることができる。
したがって、同一寸法のドアおよび枠材からなるドア枠構造でドア下端の隙間を調整することができるので、通気性が要求されるか否かなど各室の使用用途に限定されず発注、製造、流通、搬入、施工を円滑に行うことができる。
これによれば、同一寸法のドアおよび枠材からなるドア枠構造で居室内で０．５回／ｈの換気も可能になり、いわゆるシックハウスの問題を簡易な方法によって軽減または解消することができる。
【図面の簡単な説明】
【図１】本発明の実施の形態例１に係わるドア枠構造の外観を示す正面図である。
【図２】本発明の実施の形態例１に係わるスペーサー不使用時のドア枠構造の要部を拡大して示す断面図である。
【図３】本発明の実施の形態例１に係わるスペーサー使用時のドア枠構造の要部を拡大して示す断面図である。
【図４】図２の側面図である。
【図５】図３の側面図である。
【図６】本発明の実施の形態例２に係わるスペーサー不使用時のドア枠構造の要部を拡大して示す断面図である。
【図７】本発明の実施の形態例２に係わるスペーサー使用時のドア枠構造の要部を拡大して示す断面図である。
【図８】本発明の実施の形態例３に係わるスペーサー不使用時のドア枠構造の要部を拡大して示す断面図である。
【図９】本発明の実施の形態例３に係わるスペーサー使用時のドア枠構造の要部を拡大して示す断面図である。
【図１０】本発明の実施の形態例に係わるスペーサーの別の形態のものを使用した状態を示す斜視図である。
【図１１】本発明の実施の形態例に係わるスペーサーの別の形態のものを使用した状態を示す断面図である。
【符号の説明】
１        スペーサー
２        スペーサー
３        スペーサー
１１        縦枠材（右縦枠材）
１２        縦枠材（左縦枠材）
１３        上枠材
１４        下枠材
２０        ドア
２１        ドアハンドル
２２        ラッチ
２３        ヒンジ
３１        切り欠き部
１４１        下地材
１４２        化粧部材
１４３        下地材
Ｂ        ビス
Ｍ        隙間
Ｓ        隙間距離
Ｔ        隙間距離
【図１】
2004346671.tif 000003
【図２】
2004346671.tif 000004
【図３】
2004346671.tif 000005
【図４】
2004346671.tif 000006
【図５】
2004346671.tif 000007
【図６】
2004346671.tif 000008
【図７】
2004346671.tif 000009
【図８】
2004346671.tif 000010
【図９】
2004346671.tif 000011
【図１０】
2004346671.tif 000012
【図１１】
2004346671.tif 000013